(57)【特許請求の範囲】
【請求項１】
アナログ入力信号をディジタルの波形データに変換するＡ／Ｄ変換器と、同Ａ／Ｄ変換器にて変換された上記波形データを逐次記憶するストレージメモリと、プリンタおよび／またはディスプレイを含む表示手段と、上記ストレージメモリへのデータ書込み、読出しおよび上記表示手段に対してのデータ表示処理を制御する制御手段と、同制御手段に記録条件を設定する操作部とを備え、上記操作部により設定された記録条件にしたがって上記波形データを上記表示手段に表示する波形記録計において、
上記操作部にて設定される記録条件を記憶する記録目次レジスタを備え、当該記録計の動作中に上記操作部より記録条件の変更がなされた場合、上記制御手段はその変更された記録条件およびその変更時点の時間データを上記記録目次レジスタに格納し、以後当該記録計を変更された記録条件にしたがって動作させ、所定の記録長が終了した後に、上記ストレージメモリ内の波形データを上記ディスプレイに表示する際、上記記録目次レジスタ内の変更データにしたがってカーソル指示値が変更されることを特徴とする波形記録計。
【発明の詳細な説明】
【０００１】
【発明の属する技術分野】
本発明は波形記録計に関し、さらに詳しく言えば、測定記録動作中に記録条件が変更された場合でも、その新たに設定された記録条件にしたがって測定記録動作を続行させるとともに、測定終了後においてどの時点で記録条件が変更されたかが分かるようにした波形記録計に関するものである。
【０００２】
【従来の技術】
波形記録計において、アナログ入力信号はＡ／Ｄ変換器を介してディジタルの波形データとして取り込まれ、例えばＲＡＭよりなるストレージメモリに格納される。このストレージメモリへの波形データの書込み、読出しはＣＰＵ（制御手段）にて制御され、ＣＰＵは操作部（キーボード）にて設定された記録条件にしたがって波形データを処理してプリンタもしくはディスプレイに表示する。
【０００３】
実時間記録の場合には、あらかじめ操作部により記録条件として、例えばチャートスピードや電圧軸レンジなどが設定され、その記録条件にしたがってデータ処理が行なわれる。図３にはそのデータ処理の一例のフローチャートが示されている。
【０００４】
すなわち、測定記録スタートキーが押されることにより、当初設定された記録条件にしたがって立上がるが、すぐに次のステップでその記録条件、例えばチャートスピードに変更はないかが判断され、変更がない場合には所定の記録長に至るまでストレージメモリへの波形データの書込みおよび読出しと、プリンタもしくはディスプレイに対する表示のための表示処理が行なわれる。
【０００５】
これに対して、その動作中に操作部より例えばチャートスピード（波形データの取込みスピード）の変更指示があった場合には、それまでの測定動作を中断し、新たに設定されたチャートスピードに基づいて測定記録をし直す（リスタート）。
【０００６】
【発明が解決しようとする課題】
これによれば、ソフトウェア（プログラム）的には、その処理が簡単に行なわれるが、記録条件の変更の都度、測定記録をし直すリスタートがかかるため被測定対象の連続記録ができない、という問題があった。
【０００７】
なお、測定動作中に例えば上記のようにチャートスピードの変更指示があった場合、リスタートさせることなくそのまま測定動作を続行させると、いつの時点でどのようにチャートスピードが変更されたかが記録に残らないため、原則として測定動作中でのチャートスピードやその他の記録条件（例えば電圧軸レンジ）の変更は禁じられているのが実情であった。
【０００８】
本発明は、このような従来の問題点を解決するためになされたもので、その目的は、測定動作中にチャートスピードなどの記録条件が変更された場合でも、その変更データの履歴を残した上で、測定動作を続行させて連続記録ができるようにした波形記録計を提供することにある。
【０００９】
【課題を解決するための手段】
上記目的を達成するため、請求項１の発明は、アナログ入力信号をディジタルの波形データに変換するＡ／Ｄ変換器と、同Ａ／Ｄ変換器にて変換された上記波形データを逐次記憶するストレージメモリと、プリンタおよび／またはディスプレイを含む表示手段と、上記ストレージメモリへのデータ書込み、読出しおよび上記表示手段に対してのデータ表示処理を制御する制御手段と、同制御手段に記録条件を設定する操作部とを備え、上記操作部により設定された記録条件にしたがって上記波形データを上記表示手段に表示する波形記録計において、上記操作部にて設定される記録条件を記憶する記録目次レジスタを備え、当該記録計の動作中に上記操作部より記録条件の変更がなされた場合、上記制御手段はその変更された記録条件およびその変更時点の時間データを上記記録目次レジスタに格納し、以後当該記録計を変更された記録条件にしたがって動作させ、所定の記録長が終了した後に、上記ストレージメモリ内の波形データを上記ディスプレイに表示する際、上記記録目次レジスタ内の変更データにしたがってカーソル指示値が変更されることを特徴としている。
【００１０】
このように、記録条件が変更される都度、その変更データが記録目次レジスタに格納されるため、リスタートをかけることなくそのまま測定動作を続行させて連続記録させても、記録波形データを解析する上で支障は生じない。
【００１１】
この場合、上記記録目次レジスタに格納される上記時間データは、上記記録条件が変更された時点に上記ストレージメモリに書き込まれる波形データのアドレスであることが好ましく、これによれば、記録波形データを解析するに際して、そのアドレスにより変更時点の時間軸位置を容易に読み取ることができる。
【００１２】
また、所定の記録長が終了した後において、上記記録目次レジスタの記憶データが上記プリンタにより打ち出し可能とすることが好ましく、これによれば、記録条件の変更履歴を容易に把握することが可能となる。
【００１３】
また、請求項１の発明によれば、所定の記録長が終了した後に、上記ストレージメモリ内の波形データを上記ディスプレイに表示する際、上記記録目次レジスタ内の変更データにしたがってカーソル指示値が変更されるため、記録条件が変更された記録領域内のデータ値をそのカーソル指示値から直読することができる。
【００１４】
【発明の実施の形態】
次に、本発明の技術的思想をよりよく理解するうえで、図１および図２を参照しながらその実施の形態について説明する。
【００１５】
図１には本発明による一実施例の概略的なブロック線図が例示されており、これによると、この波形記録計はアナログ入力信号を所定に増幅する増幅器１１と、そのアナログ入力信号をディジタルの波形データに変換するＡ／Ｄ変換器１２とを備えている。
【００１６】
Ａ／Ｄ変換器１２の出力側には制御手段としてのＣＰＵ（中央処理ユニット）１３が用意されている。このＣＰＵ１３は操作部（キーボード）１４から与えられる記録条件に基づいてＲＯＭ１５から所定の処理プログラムを読み出し、その処理プログラムにしたがってＡ／Ｄ変換器１２からの波形データをストレージメモリ１６に逐次書き込む。
【００１７】
実時間記録時においては、ＣＰＵ１３はこの書き込み動作と並行してストレージメモリ１６から波形データを読み出し、所定の表示処理を行なってプリンタ１７もしくはディスプレイ１８を動作させる。
【００１８】
この場合、ＣＰＵ１３にはストレージメモリ１６とは別に記録目次レジスタ１９が設けられている。この記録目次レジスタ１９には、操作部１４にて設定されるチャートスピードや電圧軸レンジなどの記録条件と、その記録条件の設定もしくは変更時点の時間データとがストレージメモリ１６へのデータ書き込みと同期して書き込まれる。
【００１９】
次に、この波形記録計の動作を図２のフローチャートに沿って説明する。測定に先だって、操作部１４にてチャートスピードや電圧軸レンジ、および取り込むデータ数を意味する記録長などの記録条件が設定される。なお、変数ｉは記録目次レジスタ１９内のレジスタ番号である。
【００２０】
操作部１４からスタート指示が与えられると、まず、ステップＳＴ１で変数ｉ＝０なる処理が行なわれ、次のステップＳＴ２で当初設定された記録条件が読み取られる。そして、ステップＳＴ３でその記録条件が記録目次レジスタ１９内の０番目のレジスタに格納される。この場合、波形データの取り込み前であるため、波形データのアドレスの書き込みは行なわれない。
【００２１】
そして、ステップＳＴ４で変数ｉ＝ｉ＋１として新たな変数ｉを設定した後、ステップＳＴ５で波形データの取り込みと、表示・印字処理とが並行して行なわれる。すなわち、ＣＰＵ１３はＡ／Ｄ変換器１２からの波形データをストレージメモリ１６に逐次書き込むとともに、そのストレージメモリ１６から波形データを読み出して、所定の表示処理を実行してプリンタ１７もしくはディスプレイ１８を動作させる。
【００２２】
この表示処理は例えば１表示ライン単位で行なわれ、表示処理後のステップＳＴ６で記録条件が変更されたかが判断される。ＮＯであれば、次のステップＳＴ７で所定の記録長まで波形データが取り込まれたかが判断される。ＮＯであれば、ステップＳＴ５に戻りステップＳＴ６でＹＥＳ、すなわち記録条件が変更されないかぎり所定の記録長に至るまで、ステップＳＴ５〜ステップＳＴ７が繰り返し実行される。
【００２３】
これに対し、この一連の動作中において、操作部１４により記録条件の内の例えばチャートスピード（波形データの取込みスピード）が変更された場合には、ステップＳＴ６でＹＥＳと判断され、ステップＳＴ２に戻り、その変更されたチャートスピードの変更データが読み取られる。
【００２４】
そして、次のステップＳＴ３で記録目次レジスタ１９内の１番目のレジスタにその変更データと、その変更時点の時間データとが格納される。この例では、その時間データとしてその変更時点にストレージメモリ１６に書き込まれた波形データのアドレスを用いている。
【００２５】
次に、ステップＳＴ４で変数ｉに「１」を加算し、次の記録条件変更に備えた後、変更された記録条件にしたがってステップＳＴ５以降の各ステップが実行され、所定の記録長に至った時点で終了となる。なお、電圧軸レンジが変更された場合にも、上記と同じくその変更データと変更時点の時間データとが記録目次レジスタ１９に格納され、変更履歴として残される。
【００２６】
この波形記録計によると、測定動作の途中で記録条件が変更されたとしても、その変更データが記録目次レジスタ１９に格納され、必要に応じて例えばプリンタ１７よりその変更データをリストとして打ち出すことができる。
【００２７】
したがって、再印字や再表示の際に、いつの時点でどのように記録条件が変更されたかを容易に知ることができる。このため、例えば途中でチャートスピードを変更したとしても、ユーザーは変更の位置と内容を理解することができ、測定動作中に記録条件が変更されたとしても、リスタートをかけることなく連続記録が可能となる。
【００２８】
また、ストレージメモリ１６に取り込んだ波形データをディスプレイ１８に表示する場合、記録目次レジスタ１９に格納されている変更データと、カーソルにより指示されている位置のアドレスとを対比することにより、途中で記録条件を変更した領域においても、そのカーソル指示値をそのときの記録条件に応じた値に変換して表示することができる。
【００２９】
なお、記録目次レジスタ１９内の変更データはユーザーが積極的に消去しないかぎり保存されるため、例えば次の測定記録時に記録目次レジスタ１９からその変更データを呼び出して、前回測定記録時と同じ記録条件で次の測定記録を行なうこともできる。
【００３０】
【発明の効果】
以上説明したように、本発明によれば、次のような効果が奏される。すなわち、操作部にて設定される記録条件を記憶する記録目次レジスタを備え、測定記録動作中に操作部より記録条件の変更がなされた場合、その変更された記録条件およびその変更時点の時間データを記録目次レジスタに格納し、以後その変更された記録条件にしたがって動作させ、所定の記録長が終了した後に、ストレージメモリ内の波形データをディスプレイに表示する際、記録目次レジスタ内の変更データにしたがってカーソル指示値を変更するようにしたことにより、リスタートをかけることなくそのまま測定動作を続行させて連続記録させても、記録波形データを解析する上で支障は生じない。また、記録条件が変更された記録領域内のデータ値をそのカーソル指示値から直読することができる。
【図面の簡単な説明】
【図１】本発明による波形記録計の一実施例を示した概略的なブロック線図。
【図２】同実施例の動作説明用のフローチャート。
【図３】従来の波形記録計の動作説明用のフローチャート。
【符号の説明】
１１  増幅器
１２  Ａ／Ｄ変換器
１３  ＣＰＵ（制御手段）
１４  操作部
１５  ＲＯＭ
１６  ストレージメモリ
１７  プリンタ
１８  ディスプレイ
１９  記録目次レジスタ
【図１】
0003675542.tif 000002
【図２】
0003675542.tif 000003
【図３】
0003675542.tif 000004